【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
第一の測色幾何条件で測定した測色データを、第二の測色幾何条件で測定した測色データに変換する複数の変換データを保持する保持手段と、
観察光源の情報を取得する光源情報取得手段と、
前記第一の測色幾何条件で測定した測色データを取得する測色値取得手段と、
前記保持手段に保持されている複数の変換データから、前記観察光源の情報に対応する変換データを補間演算する補間手段と、
前記補間演算によって得た変換データを用いて、前記測色値取得手段が取得した前記第一の測色幾何条件で測定した測色データを前記第二の測色幾何条件で測定した測色データに変換する変換手段とを有することを特徴とする色処理装置。
【請求項２】
前記保持手段は、色温度が異なる複数の基準光源に対応する複数の変換データを保持することを特徴とする請求項1に記載された色処理装置。
【請求項３】
前記観察光源の情報は色温度情報であることを特徴とする請求項1または請求項2に記載された色処理装置。
【請求項４】
前記保持手段が前記観察光源の色温度に一致する色温度に対応する変換データを保持しない場合、前記補間手段は、前記観察光源の色温度を挟む色温度に対応する複数の変換データから、前記観察光源の色温度に対応する変換データを補間演算することを特徴とする請求項2または請求項3に記載された色処理装置。
【請求項５】
前記第一の測色幾何条件で測定した測色データは分光反射率測定器を用いて測定した測定データであり、前記第二の測色幾何条件で測定した測色データは分光放射輝度測定器を用いて測定した測定データであることを特徴とする請求項1から請求項4の何れか一項に記載された色処理装置。
【請求項６】
メディアの種類に対応する光沢度情報を保持する第一の保持手段と、
分光反射率に関する測色データを、分光放射輝度に関する測色データに変換する変換データを保持する第二の保持手段と、
使用メディアの種類および測色データの入力先を示すユーザ指示を入力する入力手段と、
前記ユーザ指示に基づき、前記第一の保持手段から前記使用メディアの光沢度情報を取得する光沢度情報取得手段と、
前記ユーザ指示に基づき、前記分光反射率に関する測色データを取得する測色値取得手段と、
前記使用メディアの光沢度情報に基づき、前記第二の保持手段から変換データを取得する変換データ取得手段と、
前記取得した変換データを用いて、前記取得した測色データを前記分光放射輝度に関する測色データに変換する変換手段とを有することを特徴とする色処理装置。
【請求項７】
前記第二の保持手段は、光沢度が異なる複数の基準メディアに対応する複数の変換データを保持することを特徴とする請求項6に記載された色処理装置。
【請求項８】
前記変換データ取得手段は、前記使用メディアの光沢度情報と前記基準メディアの光沢度情報に基づき、前記使用メディアの光沢度に対応する変換データを取得することを特徴とする請求項7に記載された色処理装置。
【請求項９】
前記変換データ取得手段は、前記使用メディアの光沢度に一致する光沢度をもつ基準メディアが存在しない場合、前記使用メディアの光沢度を挟む光沢度をもつ複数の基準メディアの変換データから、前記使用メディアの光沢度に対応する変換データを補間演算することを特徴とする請求項8に記載された色処理装置。
【請求項１０】
前記変換手段は、前記変換データによって、前記分光反射率に関する測色データを、前記分光放射輝度の測定における幾何条件を考慮した測色データに変換することを特徴とする請求項6から請求項9の何れか一項に記載された色処理装置。
【請求項１１】
第一の測色幾何条件で測定した測色データを、第二の測色幾何条件で測定した測色データに変換する複数の変換データを保持する保持手段、第一および第二の取得手段、補間手段、変換手段を有する色処理装置の色処理方法であって、
前記第一の取得手段が、観察光源の情報を取得し、
前記第二の取得手段が、前記第一の測色幾何条件で測定した測色データを取得し、
前記補間手段が、前記保持手段に保持されている複数の変換データから、前記観察光源の情報に対応する変換データを補間演算し、
前記変換手段が、前記補間演算によって得た変換データを用いて、前記第一の測色幾何条件で測定した測色データを前記第二の測色幾何条件で測定した測色データに変換することを特徴とする色処理方法。
【請求項１２】
メディアの種類に対応する光沢度情報を保持する第一の保持手段、および、分光反射率に関する測色データを、分光放射輝度に関する測色データに変換する変換データを保持する第二の保持手段、入力手段、第一から第三の取得手段、変換手段を有する色処理装置の色処理方法であって、
前記入力手段が、使用メディアの種類および測色データの入力先を示すユーザ指示を入力し、
前記第一の取得手段が、前記ユーザ指示に基づき、前記第一の保持手段から前記使用メディアの光沢度情報を取得し、
前記第二の取得手段が、前記ユーザ指示に基づき、前記分光反射率に関する測色データを取得し、
前記第三の取得手段が、前記使用メディアの光沢度情報に基づき、前記第二の保持手段から変換データを取得し、
前記変換手段が、前記取得した変換データを用いて、前記取得した測色データを前記分光放射輝度に関する測色データに変換することを特徴とする色処理方法。
【請求項１３】
コンピュータを、請求項1から請求項10の何れか一項に記載された色処理装置の各手段として機能させることを特徴とするプログラム。
【手続補正２】
【補正対象書類名】明細書
【補正対象項目名】００１６
【補正方法】変更
【補正の内容】
【００１６】
本発明にかかる色処理は、第一の測色幾何条件で測定した測色データを、第二の測色幾何条件で測定した測色データに変換する複数の変換データを保持し、観察光源の情報を取得し、前記第一の測色幾何条件で測定した測色データを取得し、前記保持されている複数の変換データから、前記観察光源の情報に対応する変換データを補間演算し、前記補間演算によって得た変換データを用いて、前記測色値取得手段が取得した前記第一の測色幾何条件で測定した測色データを前記第二の測色幾何条件で測定した測色データに変換することを特徴とする。
【手続補正３】
【補正対象書類名】明細書
【補正対象項目名】００１７
【補正方法】変更
【補正の内容】
【００１７】
また、メディアの種類に対応する光沢度情報を保持する第一の保持手段、および、分光反射率に関する測色データを、分光放射輝度に関する測色データに変換する変換データを保持する第二の保持手段を有し、使用メディアの種類および測色データの入力先を示すユーザ指示を入力し、前記ユーザ指示に基づき、前記第一の保持手段から前記使用メディアの光沢度情報を取得し、前記ユーザ指示に基づき、前記分光反射率に関する測色データを取得し、前記使用メディアの光沢度情報に基づき、前記第二の保持手段から変換データを取得し、前記取得した変換データを用いて、前記取得した測色データを前記分光放射輝度に関する測色データに変換することを特徴とする。
【手続補正４】
【補正対象書類名】明細書
【補正対象項目名】００２６
【補正方法】変更
【補正の内容】
【００２６】
入出力部106は、測色値取得部104が要求する測色値を入力ファイル112から取得し、測色値変換部107が変換した測色値を所定のフォーマットで記述した出力ファイル113を、ユーザの指定に応じて出力する。入出力部106は、例えばUSBやIEEE1394などのシリアルバスまたはネットワークに接続する。従って、カラーマッチング処理を行うコンピュータ機器や画像入出力機器（例えばディジタルカメラ、スキャナ、プリンタなど）、あるいは、記憶装置やサーバ装置との間でデータを入出力することができる。
【手続補正５】
【補正対象書類名】明細書
【補正対象項目名】００３０
【補正方法】変更
【補正の内容】
【００３０】
図5はユーザインタフェイスの一例を示す図である。ユーザインタフェイスには、観察光源の種類を示す名称や記号を入力または選択するための観察光源設定部1001がある。また、変換すべき測色値が記述された入力ファイル112のファイル名やパス名（入力先）を入力または選択するための入力ファイル設定部1002がある。さらに、変換結果の測色値を記述した出力ファイル113のファイル名やパス名（出力先）を入力または設定するための出力ファイル設定部1003がある。
【手続補正６】
【補正対象書類名】明細書
【補正対象項目名】００３３
【補正方法】変更
【補正の内容】
【００３３】
次に、測色値取得部104は、入出力部106を介して、ユーザが入力ファイル設定部1002に設定した入力ファイル112から測色値（分光反射率測定器によって分光反射率から算出されたCIEXYZ値）を取得する(S13)。そして、取得した測色値をバッファメモリ110の所定領域に格納する。
【手続補正７】
【補正対象書類名】明細書
【補正対象項目名】００３８
【補正方法】変更
【補正の内容】
【００３８】
次に、測色値変換部107は、詳細は後述するが、変換データ取得部105が取得した変換データを用いて、測色値取得部104がバッファメモリ110に格納した測色値を変換する(S15)。入出力部106は、測色値変換部107が変換した測色値を所定のフォーマットで出力ファイル113に記述して、出力ファイル設定部1003の設定に従い出力する(S16)。
【手続補正８】
【補正対象書類名】明細書
【補正対象項目名】００４３
【補正方法】変更
【補正の内容】
【００４３】
●変換データ取得部
変換データ取得部105の動作を説明する前に、変換データの作成方法を説明する。
【手続補正９】
【補正対象書類名】明細書
【補正対象項目名】００６６
【補正方法】変更
【補正の内容】
【００６６】
次に、測色値取得部104は、入出力部106を介して、ユーザが入力ファイル設定部1002に設定した入力ファイル112から測色値（分光反射率測定器によって分光反射率から算出されたCIEXYZ値）を取得する(S23)。そして、取得した測色値をバッファメモリ110の所定領域に格納する。
【手続補正１０】
【補正対象書類名】明細書
【補正対象項目名】００６９
【補正方法】変更
【補正の内容】
【００６９】
次に、測色値変換部107は、詳細は後述するが、変換データ取得部105が取得した変換データを用いて、測色値取得部104がバッファメモリ110に格納した測色値を変換する(S25)。入出力部106は、測色値変換部107が変換した測色値を所定のフォーマットで出力ファイル113に記述して、出力ファイル設定部1003の設定に従い出力する(S26)。
【手続補正１１】
【補正対象書類名】明細書
【補正対象項目名】００７４
【補正方法】変更
【補正の内容】
【００７４】
●変換データ取得部
図18は変換データ取得部105の動作(S24)を説明するフローチャートである。
【手続補正１２】
【補正対象書類名】明細書
【補正対象項目名】００８８
【補正方法】変更
【補正の内容】
【００８８】
また、式(4)は一次式によって分光反射率を分光放射輝度へ変換するが、例えば式(5)に示すような多項式によって変換を行ってもよい。
S(λ) = Σai(λ)・Rn(λ)      …(5)
ただし、Σ演算の範囲はi=0からnまで